(57)【要約】【課題】包丁による調理作業に悪影響を与えずに、調理の際に食材から流出する水分や液汁を容易に、かつ確実に除去し、調理をし易くすること。【解決手段】板状のまな板本体１に、その表裏を貫通する水透過用の−型の複数のスリット２、２…を形成する。まな板本体１は、横：３６０ｍｍ、縦：２６０ｍｍ、厚さ：２．５ｍｍのポリプロピレンの板材で構成した。スリット２、２…は、まな板本体１の周辺を除き、中央のまな板本体１と相似形の四辺形の領域に平均に配する。個々のスリット２の幅は、１．５ｍｍに、長さは５０ｍｍに構成する。縦方向に並ぶスリット２、２の間隔及び横方向に並ぶスリット２、２の間隔は、それぞれ３０ｍｍに設定する。【選択図】  図１
0003159572.tif 000002
【実用新案登録請求の範囲】
【請求項１】
板状のまな板本体に、その表裏を貫通する水透過用の−型の複数のスリットを形成した水切りまな板。
【請求項２】
前記複数のスリットを、まな板本体の周辺部を除いて、平均に配置した請求項１の水切りまな板。
【請求項３】
前記スリットの幅を１．５〜２．０ｍｍに、長さを４５〜５５ｍｍに構成した請求項１又は２の水切りまな板。
【考案の詳細な説明】
【技術分野】
【０００１】
本考案は、水切りまな板に関し、更に詳しくは、調理の際に調理対象の食材から流出する水分や液汁を容易に除去し、調理をしやすくすることができる水切りまな板に関する。
【背景技術】
【０００２】
調理中に食材から流出する水分や液汁を除去する手段を備えた水切りまな板の提案は種々ある。
特許文献１もその内の一つである。これは、上面に傾斜面を形成し、その傾斜下方の位置に水捌け用の傾斜溝が設けられているまな板である。該傾斜溝の位置は、傾斜下方である、長手方向側端部近傍とし、溝方向を右端から左端又は左端から右端に向かって下降傾斜するように構成してあるものである。
【０００３】
従ってこのまな板によれば、調理中に生じた水分乃至液汁は、徐々に傾斜下方に流れ下り、傾斜下方の傾斜溝中に流れ込み、該傾斜溝を通じて、まな板の左端又は右端に移動し、これをセットした、例えば、シンク中に流出することになる。そのため調理作業領域であるまな板上面を水分の少ない状態に維持し、調理のしやすい状態を維持することができる。しかし、このまな板の場合は、その上面が傾斜しているため、その面で必ずしも包丁等による食材切断等の作業がしやすいとは言えない問題を抱えている。
【０００４】
特許文献２もまな板の例であるが、これは、四角形に形成されたまな板であって、その上面に、四隅の内の一隅に向かって低くなるような傾斜面を形成したまな板である。
【０００５】
従ってこのまな板によれば、使用に際して、調理中に生じた水分は、その傾斜に沿って一隅側に流れ、該一隅側から排水されることになるため、その上面には、水分がたまるような問題は生じないものと思われる。しかしこの特許文献２のまな板も、特許文献１のまな板と同様に、まな板上面が傾斜面になっているため、それ自体が、包丁等による食材切断作業にとって不都合であるという問題がある。
【０００６】
特許文献３もまな板の例であり、これは、作業面に水捌け用の溝が少なくとも一本設けられ、該溝が、まな板の長手方向側端部近傍に配置され、かつ該溝の幅が５〜２０ｍｍで、深さが１〜５ｍｍであり、更に該溝の一方の端部のみがまな板の端部にまで達しているまな板である。
【０００７】
従ってこのまな板によれば、板上面で食材を調理した際に生じた水分は、該溝を通じて排水可能であるが、該溝は、上面上に広く存在しているわけではなく、以上のように、まな板の長手方向の端部近傍等に位置しているだけである。そのため、水分は、自然に溝中に流入するというわけにはいかないと思われる。実際には、食材の調理作業中にまな板上面上に生じた水分は、何らかの手段で溝側に押しやる等の操作をする必要があると思われる。排水に若干の操作が必要である。更に該溝中に流入した水は、該溝が傾斜しているわけではないので、その中にたまってしまい容易に排水されない問題もあると思われる。
【０００８】
特許文献４も同様なまな板の例であり、肉・魚・野菜・果物等の調理用まな板において、該まな板の調理面全域に、包丁による切断方向に対して、ほぼ直角方向又は所定角度方向に延びる複数の水切り及び滑り防止溝を設けたまな板である。
【０００９】
従ってこのまな板によれば、肉や野菜等の調理の際に、それらから流出した水分や液汁は、上記水切り及び滑り防止溝中に流入するものと思われる。しかし、この水切り及び滑り防止溝は、特許文献３のまな板の溝と同様に、傾斜していないので、その中に流入した水分はその中にたまってしまい、容易に排水されない問題があると思われる。
【先行技術文献】
【特許文献】
【００１０】
【特許文献１】実用新案登録第３１１６９６３号公報
【特許文献２】実用新案登録第３１４７０７８号公報
【特許文献３】実開平０７−０２４２４４号公報
【特許文献４】特開２００５−１６０９０５号公報
【考案の概要】
【考案が解決しようとする課題】
【００１１】
本考案は、包丁による調理作業に悪影響を与えずに、調理の際に食材から流出する水分や液汁を、容易に、かつ確実に除去し、調理をし易くすることができる水切りまな板を提供することを解決の課題とするものである。
【課題を解決するための手段】
【００１２】
本考案の１は、板状のまな板本体に、その表裏を貫通する水透過用の−型の複数のスリットを形成した水切りまな板である。
【００１３】
本考案の２は、本考案の１の水切りまな板において、前記複数のスリットを、まな板本体の周辺部を除いて、平均に配置したものである。
【００１４】
本考案の３は、本考案の１又は２の水切りまな板において、前記スリットの幅を１．５〜２．０ｍｍに、長さを４５〜５５ｍｍに構成したものである。
【考案の効果】
【００１５】
本考案の１の水切りまな板によれば、これを、下方に水分を流出させても良い条件の下で使用した場合は、その上で食材を切断する等の作業を行い、これによって生じた水分や液汁は、該水切りまな板のまな板本体に形成した表裏を貫通する水透過用の−型の複数のスリットを通じて、上面側から裏面側に流出排水されるので、その調理作業を水浸しにならずに良好に行うことができる。
【００１６】
水分は、まな板本体に形成した表裏を貫通する水透過用の−型の複数のスリットを通じて自ずと排水されるので、従来例のいくつかのまな板のように、排水のために、別の作業を要することもない。またまな板本体の上面は傾斜がないので、包丁による食材の切断作業に悪影響を与えることもない。また水透過用の複数のスリットは、−型であるため、食材の切断作業中に、その中に包丁の先が進入して切断作業に悪影響を与えるようなこともない。
【００１７】
また排水手段が、上記のように、表裏を貫通する水透過用の−型の複数のスリットであり、その構成も簡易である。
【００１８】
本考案の２の水切りまな板によれば、スリットは実用的に排水の必要な範囲に平均に配置してあるので、調理作業中に生じる水分や液汁の良好な排水が行い得られ、他方、必要な範囲にスリットの配置を限定したため、まな板本体の強度にも悪影響を与えない。
【００１９】
本考案の３の水切りまな板によれば、スリットの幅及び長さが適当であるので、包丁による調理作業に悪影響を与えずに、良好な排水行うことができる。即ち、水がスリット中に滞留して排水されないような問題を生じない。他方、食材屑等がスリット中に詰まるような問題も生じない。
【図面の簡単な説明】
【００２０】
【図１】実施例の水切りまな板の正面図。
【図２】実施例の水切りまな板の底面図。
【図３】(a)図２のＡ−Ａ線断面図、(b)(a)のＢ部の拡大図。
【考案を実施するための形態】
【００２１】
考案を実施するための形態を実施例に基づいて図面を参照しながら詳細に説明する。
【００２２】
この実施の形態の水切りまな板は、図１〜図３(a)、(b)に示すように、基本的に、板状のまな板本体１に、その表裏を貫通する水透過用の−型の複数のスリット２、２…を形成したものである。
【００２３】
前記まな板本体１は、調理に適するプラスチック又は木質の板材を自由に採用することができる。プラスチックでは、例えば、ポリエチレン又はポリプロピレン等の安全性の高いそれを採用するのが適当である。この実施例では、横：３６０ｍｍ、縦：２６０ｍｍ、厚さ：２．５ｍｍのポリプロピレンの板材を採用した。勿論、厚さを含めて、サイズは自由であり、これに限定されない。
【００２４】
前記スリット２、２…は、図１に示すように、まな板本体１の周辺を除き、概ね中央の該まな板本体１とほぼ相似形の四辺形の領域に平均に配するものとする。また個々のスリット２は、同図に示すように、包丁での食材切断作業に悪影響を与えずに、そのような作業によってまな板本体１上に生じた水分を裏面側に透過させ得る幅及び長さに構成すべきものである。具体的には、スリット２の幅は１．５〜２．０ｍｍ程度が適当であり、長さは４５〜５５ｍｍ程度が好ましい。この実施例では、該スリット２は、幅を１．５ｍｍに、長さを５０ｍｍに構成したものである。また縦方向に並ぶスリット２、２の間隔及び横方向に並ぶスリット２、２の間隔は、それぞれ３０ｍｍに設定したものである。
【００２５】
従ってこの実施例の水切りまな板によれば、これを、下方に水分を流しても問題の生じない場所で使用することが必要であるが、それ以外は、一般の従来のまな板と殆ど同様の態様で使用することができる。
【００２６】
例えば、この実施例の水切りまな板は、その一端を、台所の流しの縁に載せ、他端を、該流しに該水切りまな板と直交する向きに掛け渡した補助板のようなものの上に載せて使用するのが適当である。
【００２７】
この後は、一般のまな板と同様に使用する。食材の何をどこで切断しても問題はないが、右側で野菜を切り、左側で肉類や魚類を切るといったようにエリアを分けて使用しても良い。いずれにしても、このようにして食材の切断作業を行うと、食材に付着していた水分がまな板本体１上に流れ出し、或いは食材中の液汁が、同様に、まな板本体１上に流れ出すことになるが、この実施例のまな板本体１には、前記のように、スリット２、２…が形成してあるため、それらの水分や液汁は、該スリット２、２…を通じて該まな板本体１の裏面側に流れ落ち、徐々に該水切りまな板を配した流しの中に滴下することになる。
【００２８】
従って特別に排水作業をしなくても、上記のように、食材から生じた水分等は、スリット２、２…を通じて自ずと排水されるので、まな板本体１上が水浸しになるようなことはなく、食材の切断作業を支障なく行うことができる。またまな板本体１は、水分等を流すために、その上面に傾斜を付けるようなこともしていないので、その面でも、包丁による食材の切断作業を支障なく行うことができる。
【００２９】
なお、スリット２、２…の個々のサイズが、前記のようなものであることにより、包丁による切断作業に悪影響を与えずに、まな板本体１上の水分を、それらを通じて良好に裏面側に流下させることとなっている。流下した水分は、前記したように、所定量になる毎に、該水切りまな板を設置した流し内に滴下することになる。また、スリット２、２…は、前記の様なサイズであるので、水分が良好に流下する一方で、食材屑がその中に詰まってしまうような問題も生じがたい。
【産業上の利用可能性】
【００３０】
本考案の水切りまな板は、これらを生産する工業生産の分野で利用できることは明らかである。
【符号の説明】
【００３１】
１    まな板本体
２    スリット
【図１】
0003159572.tif 000003
【図２】
0003159572.tif 000004
【図３】
0003159572.tif 000005